(57)【要約】【課題】分割された画面を合体させた際に、突き合わせ端の枠を省略し、合体画像の一体感を維持させる。【解決手段】２つの画像表示装置５Ｒ、５Ｌを左右に分割移動可能に構成し、画像表示装置５Ｒ、５Ｌの画面の前側に、レンズ５４Ｒ、５４Ｌをそれぞれ配置し、レンズ５４Ｒ、５４Ｌの突き合わせ端側に画像表示装置５Ｒ、５Ｌの画像を拡大して引き伸ばすレンズ面を設ける。レンズ正面側面に位置するレンズ画面によって、画像表示装置５Ｒ、５Ｌの突き合わせ端の外枠が隠され、２つのレンズ画面で１つの一体感のある画面を構成することができる。【選択図】図４
2007159701.tif 000002
【特許請求の範囲】
【請求項１】
遊技機の遊技状態を制御する遊技制御手段と、
前記遊技制御手段からの信号に応じて、画像情報を制御する画像制御手段と、
画像制御手段からの信号に応じた画像を表示する画像表示面とを有する演出用表示装置であって、
前記画像表示面は、相互に対向する対向端が突き合わされて１つの表示面を構成する２つの表示単体を有し、
前記各表示単体を移動可能に保持する移動手段とを有し、
該表示単体は、対向端側に外枠を有する画像表示画面と、該画像表示画面上に設けられ、画像表示画面からの光の少なくとも一部を対向端へ向けて導光するように形成された傾斜面を前記画像表示画面側に有する透光部材とを備え、
前記移動手段は、各表示単体をそれぞれ保持し、相互に離れる方向に案内可能な移動案内機構と、表示単体を移動させる駆動力を前記移動案内機構へ供給する駆動装置とを有する遊技機。
【請求項２】
前記透光部材において、前記傾斜面の反対側の面が表示単体の表示面を構成する請求項１に記載の遊技機。
【請求項３】
前記傾斜面は、レンズ面である請求項１又は２に記載の遊技機。
【請求項４】
前記画像表示画面において、前記レンズ面に対応する位置に映し出される画像は、前記レンズ面によって引き伸ばされる方向に沿って縮小されている請求項３に記載の遊技機。
【請求項５】
前記画像表示画面は液晶表示装置である請求項１〜４のいずれか１に記載の遊技機。
【発明の詳細な説明】
【技術分野】
【０００１】
この発明は、たとえばパチンコ遊技機（以下、単に「パチンコ」と言う。）や回胴式遊技機（以下、単に「スロットマシン」と言う。）等の遊技機に係り、詳しくは、分離移動可能な画像表示面を有する遊技機に関するものである。
【背景技術】
【０００２】
従来、遊技機としてパチンコやスロットマシンが普及している。これらの遊技機においては、遊技の進行とともに、遊技に附帯して各種の演出をする演出装置が設けられている。 
例えば、パチンコにおいては、液晶画面が設けられ、遊技球が特定の賞口に投入されると、液晶画面において、数種の演出画像が表示され、遊技者に対して遊技内容を演出する装置が設けられている。液晶画面には、複数の登場人物が登場する物語であったり、または複数の人間が戦う場面などの演出手法のほか、スロットマシンのように３つのリールが表示され、これらのリールが回転し役がそろうといった遊技の進行が表示されるなど、表示される画像の内容は任意に決定でき、多数種類の演出に利用できるといった点がある。
【０００３】
また、スロットマシンにおいても、ボーナス当選など遊技内容に応じて、液晶画面に表示される画像を変更し、遊技内容を任意の方法で演出することが行われている。 
液晶画面による演出は、画面に表示する内容を任意に設定できるという点で、極めて有利であり、現在の多く遊技機において取り付けられている。上記のように液晶画面を介して演出を行う装置には以下のようなものが挙げられる。
【特許文献１】特開２００４−２２９７３３号公報
【特許文献２】特開２００４−２２９７３８号公報
【発明の開示】
【発明が解決しようとする課題】
【０００４】
従来の液晶画面を用いた演出装置において、さらに演出効果を上げるために、例えば特許文献１に記載のように、画面に表示される画像パターンを変更し、或は、特許文献２に記載のように、画面自体をより大きくするなどの提案がなされている。 
しかし、液晶画面による演出には、限界がある。例えば、液晶画面は遊技機に予め組み込まれて設定されているため、画像表示される領域は液晶画面が組み込まれている範囲に限られる。従って、遊技者は、液晶画面が組み込まれている領域内でのみ演出画像が表示されることを容易に予想できるので、演出に対して遊技者が注意を向けるのは、画面の範囲内に限られ、画像や画像に伴う効果音などにより演出効果を上げる以外に方法がなく、遊技者の予想を超えた意外性により演出効果をさらに発揮することは難しい。
【０００５】
このように表示画面を用いた演出装置において、遊技の演出効果をより一層向上させるための新たな装置の提案が望まれている。 
出願人は、表示画面を用いた演出装置として、画面が分割される技術を提案している。しかし、これに液晶画面を用いて、複数の単独液晶画面を突き合わせて、１つの画像を構成すると、液晶画面の周端に配置された外枠が合成画面の中に含まれてしまう。このため、単に複数の画面を寄せ集めた印象を使用者に与え、統一感のある全体画像を得ることができないといった問題がある。
【０００６】
この発明の目的は、新たな視覚的演出効果を発揮することのできる遊技機を提供すること、さらに、複数の表示画面を合成して１つの画像構成する際に統一感のある全体画像がえられる遊技機を提供することにある。
【課題を解決するための手段】
【０００７】
以上のような問題を解決する本発明は、以下のような構成を有する。 
（１）  遊技機の遊技状態を制御する遊技制御手段と、
前記遊技制御手段からの信号に応じて、画像情報を制御する画像制御手段と、
画像制御手段からの信号に応じた画像を表示する画像表示面とを有する演出用表示装置であって、
前記画像表示面は、相互に対向する対向端が突き合わされて１つの表示面を構成する２つの表示単体を有し、
前記各表示単体を移動可能に保持する移動手段とを有し、
該表示単体は、対向端側に外枠を有する画像表示画面と、該画像表示画面上に設けられ、画像表示画面からの光の少なくとも一部を対向端へ向けて導光するように形成された傾斜面を前記画像表示画面側に有する透光部材とを備え、
前記移動手段は、各表示単体をそれぞれ保持し、相互に離れる方向に案内可能な移動案内機構と、表示単体を移動させる駆動力を前記移動案内機構へ供給する駆動装置とを有する遊技機。
【０００８】
（２）  前記透光部材において、前記傾斜面の反対側の面が表示単体の表示面を構成する上記（１）に記載の遊技機。
【０００９】
（３）  前記傾斜面は、レンズ面である上記（１）又は（２）に記載の遊技機。
【００１０】
（４）  前記画像表示画面において、前記レンズ面に対応する位置に映し出される画像は、前記レンズ面によって引き伸ばされる方向に沿って縮小されている上記（３）に記載の遊技機。
【００１１】
（５）  前記画像表示画面は液晶表示装置である上記（１）〜（４）のいずれか１に記載の遊技機。
【発明の効果】
【００１２】
請求項１に記載の発明によると、遊技状態に応じて画像が生成され、生成された画像が画像表示面に表示される。この画像表示面は、２つの表示単体に分割されており、移動手段によって、この表示単体が移動することで、画像表示面が設置されている範囲外に画面が移動することとなり、演出効果が向上する。各表示単体が分離して移動することとなり、さらに以外性が増して、演出効果が向上する。
【００１３】
また、表示単体の画像表示画面には、透光部材が設けられているので、画像表示画面に表示された画像光は、透光部材の傾斜面において屈折し、対向端へ向けて導光され、正面側の表示面に映るため、突き合わされた対向端を境として、全体として連続した画像を表示することができる。このため、突き合わされた端部の外枠が、画像の中央を横切り、画像が分割されるといった不都合が抑制される。
【００１４】
請求項２に記載の発明によると、傾斜面の反対側の面が、表示単体の表示面とされるので、表示面を別途設ける必要がなく、表示単体の構造を簡易なものとすることができる。 
請求項３に記載の発明によると、傾斜面をレンズ面とすることによって、表示面に表示される画像に歪みが少なくなり、より良好な画像が得られる。
【００１５】
請求項４に記載の発明によると、画像表示画面に表示される画像を、レンズによって引き延ばされる量だけ、縮小した画像とすることで、表示面に表示された画像を、一層歪みの少ない良好な画像を得ることができる。 
請求項５に記載の発明によると、画像表示画面は液晶表示装置とすれば、表示装置が板状であるために、装置全体を平たく構成することが可能となり、遊技機筐体内に装填することが容易となる。
【発明を実施するための最良の形態】
【００１６】
以下、本発明の実施形態として、遊技機における演出用表示装置をスロットマシンに用いた場合について、図１乃至図３を参照して説明する。なお、図１は本スロットマシン１００の外部構造を示した正面図、図２は本スロットマシン１００の内部構造を示した全体斜視図である。 
図１において、本スロットマシン１００は、遊技者に面するフロントドア１０１と、フロントドア１０１が開閉可能に取り付けられた後述の筐体１０２とを備えて構成されている。フロントドア１０１は、上部パネル部１０３と中部パネル１０４と下部パネル部１０５とを備え、全体的に金属製のフレーム（図示略）と硬質プラスチックで成形された前面パネルとで形成されることによって、機械的に強固な構造を有している。
【００１７】
上部パネル部は１０３には、上部ランプと呼ばれる演出用ランプ１０３ａと、液晶ディスプレイ等で形成された画像表示装置としての演出用表示装置１０３ｄが設けられている。 
中部パネル部１０４には、複数個（本実施形態では３個）の回胴リールＲ１，Ｒ２，Ｒ３を備えた回胴リール装置２００が設けられる。なお、回胴リールＲ１，Ｒ２，Ｒ３の前面には、透明な硬質プラスチック板で形成された略長方形の透過窓ＷＤが設けられ、これによって回胴リール装置２００を外部から保護すると共に、遊技者が透過窓ＷＤを介して回胴リールＲ１，Ｒ２，Ｒ３を見ることが可能となっている。
【００１８】
更に、中部パネル部１０４の下端には遊技者が操作するための操作部１０４ｃが設けられ、当該操作部１０４ｃには、遊技メダルを投入するためのメダル投入部ＭＤと、１ゲーム当たりのメダル数を提示するためのベッドボタンＢ１，マックスベッドボタンＢ２と、１ゲームの開始を指示するためのスタートレバーＳＴと、回転中の回胴リールＲ１，Ｒ２，Ｒ３を個別に停止させるための３個のストップボタンＳＰ１，ＳＰ２，ＳＰ３が設けられている。ベッドボタンＢ１、スタートレバーＳＴ、マックスベッドボタンＢ２、ストップボタンＳＰ１，ＳＰ２，ＳＰ３によって、遊技操作入力手段が構成される。
【００１９】
メダルの貯留には、貯留可能な上限の枚数が決められており、この実施形態では、５０枚に決められている。この枚数を越えてメダル投入部ＭＤから投入されたメダルは、後述の排出口１０５ａから返却される。 
下部パネル部１０５には、本スロットマシン１００のゲーム内容に関連した画象等（図示略）が描かれており、遊技者の取得したメダルを払い出すための排出口１０５ａ及び受皿１０５ｂと、スピーカが取り付けられた放音部１０５ｃが設けられている。
【００２０】
次に、図２を参照して、フロントドア１０１の裏面構造と、筐体１０２の内部構造を概説する。なお、図２はフロントドア１０１を開錠して筐体１０２から開いた状態を表している。同図において、フロントドア１０１の裏面上部には、演出用表示装置１０３ｄが取り付けられている。 
演出用表示装置１０３ｄの下方には、上述の透過窓ＷＤと中部パネル部１０４のパネル面とが形成された略長方形の枠体１０４ｄが取り付けられている。演出用表示装置１０３ｄ内には、サブ制御基板３００が納められている。
【００２１】
枠体１０４ｄの下方には、メダル投入部ＭＤより投入される投入物を正規の遊技メダルか異物か判別して振り分ける振分機構Ｇ０で振分けられた遊技メダルを筐体１０２側に設けられているホッパ装置ＨＰへ案内するガイド部材ＧＩと、振分機構Ｇ０で振分けられた異物を排出口１０５ａへ案内して排出するガイド部材Ｇ２と、ホッパ装置ＨＰから出力される払い出し用のメダルを排出口１０５ａへ案内して出力するガイド部材Ｇ３が設けられ、更に排出口１０５ａの近傍に、スピーカＳＷが放音部１０５ｃに対応させて取り付けられている。
【００２２】
更に、上述の枠体１０４ｄと振分機構Ｇ０との間の領域に長尺状の中央表示基板４００が取り付けられ、当該中央表示基板４００の裏面側の一端に、設定ボタンＣＳと、数字の０から６までのセグメント表示を行う発光ダイオードで形成された設定表示素子ＣＴが設けられている。 
筐体１０２内には、主電源装置ＰＷＵと、ホッパ装置ＨＰから溢れた遊技メダルを収容するための補助貯留部ＳＨＰと、状述の透過窓ＷＤに対向する回胴リールＲ１，Ｒ２，Ｒ３を備えた回胴リール装置２００の上端に回胴装置基板６００、回胴リール装置２００の上方に主制御基板７００、筐体１０２の内壁の一端に外部集中端子装置としての外部集中基板８００が夫々取り付けられている。
【００２３】
上述の主制御基板７００と、サブ制御基板３００、回胴装置基板６００、中央表示基板４００、電源装置基板５００及び外部集中端子基板８００は、何れも導電性配線パターンの形成された絶緑性樹脂基板上に集積回路装置（ＩＣ）やトランジスタ、抵抗、コンデンサ等の電子部品が搭載されて配線接続されたいわゆる電気回路基板として形成され、特に、主制御基板７００とサブ制御基板３００と外部集中端子基板８００は、夫々硬質プラスチックの収納ケース内に個別に収納されたユニット構造となっている。
【００２４】
主制御基板７００は、各信号の入出力を総括し、モニタを有しているものである。また、サブ制御基板３００は、演出用の画像、投射する視覚情報としての画像や文字、ランプ、蛍光灯、及び効果音を制御し、スピーカから出力する効果音の音量を切り換えるための音量スイッチを有している。
【００２５】
次に、演出用表示装置１０３ｄの構成について説明する。図３は、演出用表示装置１０３ｄの構成を示す全体斜視図である。また、図４は、演出用表示装置１０３ｄの分解斜視図である。 
演出用表示装置１０３ａは、表示単体２Ｒ、２Ｌと、本体１０３ｄと、表示単体２Ｒ、２Ｌをそれぞれ保持し別個に移動させる移動手段３とを備えている。表示単体２Ｒ、２Ｌは、それぞれ左右方向（図３中Ｙ軸方向）に、単独で移動可能に支持されている。本体１０３ｄは、筐体２０内に駆動装置３１Ｒ、３１Ｌ及び液晶表示装置２Ｃを収納し、筐体２０の背面側にサブ制御基板３００を有し、サブ制御基板３００には、透明な基板カバー３０１が覆い被せられている。
【００２６】
駆動装置３１Ｒは、表示単体２Ｒを左右方向へ移動させる駆動力を表示単体２Ｒへ与え、駆動装置３１Ｌは、表示単体２Ｌを左右方向へ移動させる駆動力を表示単体２Ｌへ与える。筐体２０の正面側左右端部には、支持板２０１Ｒ、２０１Ｌが配置され、左右の支持板２０１Ｒ、２０１Ｌを突き合わせて一枚の支持板２０１が構成される。また、支持板２０１の中央には、筐体２０内に収納されている画像表示装置３０の画面が臨むように窓２０１Ｗが形成されている。
【００２７】
支持板２０１の上下端辺には、表示単体４Ｒ、４Ｌを支持するとともに、これらの移動を案内するガイド部材２０２Ｕ、２０２Ｄが相互に平行に配置されている。支持板２０１の前面側には、２つの表示単体４Ｒ、４Ｌが配置されている。表示単体４Ｒ、４Ｌは、それぞれ同一の構成を有し、部材の配置位置が対称に配置されている。なお、図４は、表示単体４Ｒ、４Ｌの分解斜視図であるが、図４に表示されている表示単体４Ｒの分解図として表示された構成部品と、表示単体４Ｌの分解図として表示された構成部品とを合成した部品点数が、１つの表示単体を構成する部品である。以下、表示単体を説明するが、図中には表示単体の構成要素として、左右の表示単体について異なる構成要素が表示されているので、左側又は右側の表示単体の構成要素を示すＲ又はＬの符号は用いないこととする。
【００２８】
表示単体４は、ケース４１を有し、ケース４１内には画像表示装置５を内側に保持する保持ケース４２が収納されている。ケース４１の背面には、ラック３２が左右方向（Ｙ軸方向）に形成され、また、窓２０１Ｗ内において、このラック３２に対向する位置には、ピニオン３３が設けられている。ピニオン３３はラック３２に噛合し、ピニオン３３の回転によって、ラック３３を解してケース４１が左右方向に移動できるように構成されている。ピニオン３３には、既述の駆動装置３１から回転駆動力が伝達される。
【００２９】
保持ケース４２内の画像表示装置５の正面側には、画像表示装置５の表示面５１側には、保持ケース４２上下側内側面に沿って配されたスペーサ５２ａ、５２ｂが設けられ、スペーサ５２ａ、５２ｂの間には、レンズスペーサ５３が設けられている。画像表示装置５は、液晶ディスプレイで構成される。
【００３０】
レンズスペーサ５３の正面側には、透光部材であるレンズ５４が配置されている。レンズスペーサ５３は、レンズ５４と画像表示装置５の表示面５１との距離を規定する。また、レンズスペーサ５３と保持ケース４２の内壁の間に介在するスペーサ５２ａ、５２ｂによって、レンズスペーサ５３の位置、即ちレンズ５４の位置が規定される。レンズスペーサ５３は、板材を屈曲形成して構成され、レンズ５４に接触する端辺は、レンズ表面の湾曲に沿った形状に湾曲形成された湾曲部５３１を有している。
【００３１】
レンズ５４の正面側には、レンズカバー５５が被せられている。レンズカバー５５は、レンズ５４の外縁に沿った枠状に形成され、一対の表示単体４Ｒ、４Ｌの突き合わされる端辺部分は、露出するように開口５５１を有している。このレンズカバー５５によって、レンズ５４は、ケース４１内に収容され固定される。レンズカバー５５には、レンズカバー５５と同様の形状を有するケースカバー５６がさらに被せられ、開口５６１において、レンズ５４の突合せ端が露出する構成となっている。
【００３２】
レンズカバー５５とケース４１とによって、画像表示装置５とレンズ５４とを収納する筐体が構成され、この筐体と、これに収納されている画像表示装置２とレンズ５４とによって表示単体４が構成される。ケース４１の上面及び下面には、ガイド部材２０２Ｕ、２０２Ｄに摺動自在に接続された接続片４１１がそれぞれ固定され、この接続片４１１を介して、各表示単体４Ｒ、４Ｌは、左右方向へ平行移動可能に支持される。
【００３３】
一方、レンズ５４は、画像表示装置５に対向する側面において、突合せ端５４１へ向けて厚さが漸減するように凸状湾曲した傾斜面（レンズ面）５４２と、平面部５４３とを有し、平面部５４３の反対側の側面が、画像が映し出される画面５４４となっている。
【００３４】
図３に示されているように、左右の表示単体４Ｒ、４Ｌのレンズ５４Ｒ、５４Ｌを突き合わせることによって、１つの画像表示面４０が構成される。この画像表示面４０の中央部分には、画像表示装置の外枠が視認されないため、全体として連続した１枚の画面として認識することができ、表示されている画像を１つのまとまった統一感のあるものとして認識することが可能となる。
【００３５】
図８の上図に示されているように、画像表示装置５Ｒ、５Ｌの表示画面５０Ｒ、５０Ｌは、突き合せ端部に、外枠５１Ｒ、５１Ｌをそれぞれ有しているため、画像表示装置５Ｒ、５Ｌを突き合わせて１つの画面を構成した場合、外枠５１Ｒ、５１Ｌが一体化された画面の中央に位置することとなり、画面を一体化したにもかかわらず、左右に画面が分割された印象を与えることとなる。
【００３６】
これに、突合せ端側へ延出して設けられたレンズ５４を重ねることにより、画像表示装置５Ｒ、５Ｌの画面からの光は、レンズ面５４２で屈曲し、突合せ端へ向けて導光され、レンズ５４の画面５４４全面に、画像が表示される。レンズ画面５４４には、突合せ端に枠が設けられていないので、２つのレンズ画面５４４Ｒ、５４４Ｌを突き合わせた場合に、枠が合成画面の中央に位置することなく、直接レンズ５４Ｒ、５４Ｌの端辺が突きあわされるので、全体として一体感のある合成画面を構成することが可能となる。
【００３７】
レンズ５４は、突合せ端部側の一部（領域Ｗ２）のみが、凸状に湾曲したレンズ面５４２となっているので、この領域Ｗ２に対応するレンズ画面５４４の領域に表示される画像は、左右方向へ引き伸ばされた画像として表示される。その他の部分については、レンズ５４は平板材と同様の構成となっており、画像表示装置５Ｒ、５Ｌに表示された画像は、そのままレンズ画面５４４Ｒ、５４４Ｌに表示される。
【００３８】
レンズ面５４２によって引き伸ばされる分量を予め修正して、画像表示装置５Ｒ、５Ｌの画面に表示される画像を、領域W２対応する領域Ｗ１の範囲内で、左右方向へ縮小して表示する。このように表示することで、レンズ画面５４４Ｒ、５４４Ｌに表示される画像は、図８の下図に表示されているように、本来の表示画像に、より近似した画像として表示することができる。
【００３９】
具体的には、図８の上図において、領域W１の範囲内では、線Ｎ１の傾きは、本来の表紙画像の傾きＮ２よりも、勾配が大きくなり、直線が曲がって表示されている。しかし、領域Ｗ１内の画像は、レンズ５４によって左右方向へ引き伸ばされ、その結果、図８の下図に示されているように、勾配が小さくなり、直線の曲がりが解消される。
【００４０】
図９は本スロットマシン１０に設けられている制御システムの構成を示したブロック図である。主基板７００は、スロットマシン１００の動作全体を管理するシステムプログラム及びスロットマシンゲーム用の実行プログラムが予め記憶されている半導体メモリ等で形成された記憶部と、これらのプログラムを実行するマイクロプロセッサ（ＭＰＵ）とを有し、上述のマイクロプロセッサに設けられている入力ポート及び出力ポートと残余の基板３００，６００，４００，５００，８００との間が配線ケーブル（ハーネス）によって配線接続されている。このマイクロプロセッサＭＰＵにより遊技の進行又は状態を制御する遊技制御手段が構成される。
【００４１】
更に又、演出用スピーカＳＲ，ＳＷと演出用ランプ１０３ａと演出表示装置１０３ｄが配線ケーブルを介してサブ基盤３００に配線接続され、主基板７００中の上記マイクロプロセッサから供給される演出制御信号に従って、サブ基板３００に設けられている電気回路がこれら演出用スピーカＳＲ，ＳＷと演出用ランプ１０３ａと演出表示装置１０３ｄを駆動することにより、遊技者の視覚と聴覚に訴える演出を行う。この演出制御信号には、演出画像を表示する画像信号や、画面を分割し、又は結合するタイミングを指令するタイミング信号や、リール機構２５の回胴リール装置２５０の駆動を制御する駆動制御信号等が含まれる。
【００４２】
また、回胴装置基板６００は、図柄を回転させるための装置である各回胴を回転または停止させるために、主制御基板７００と各回胴の回胴ステッピングモータ、及び回転中の回胴の基準位置を検知するための回胴センサとの間を中継していると共に、主制御基板７００と外部集中端子基板８００との間を中継しているものである。したがって、この回胴装置基板６００には、電動モータによって回転駆動される回胴リールＲ１，Ｒ２，Ｒ３を備えた回胴リール装置２００が配線接続されており、主基板７００中の上記マイクロプロセッサから供給されるリール制御信号によって、上述の電動モータを制御することにより、回胴リールＲ１，Ｒ２，Ｒ３の回転と制動及び停止の制御を行う。
【００４３】
この中央表示基板４００には、振分機構Ｇ０、ベットボタンＢ１マックスベッドボタンＢ２，スターレバーＳＴ，ストップボタンＳＰ１，ＳＰ２，ＳＰ３、設定表示素子ＣＴ、及び設定ボタンＣＳが配線接続されており、振分機構Ｇ０から出力されるＣＴ、及び設定ボタンＣＳが配線接続されており、振分機構Ｇ０から出力されるメダル検出信号と、ベットボタンＢ１，マックスベッドボタンＢ２，とスタートレバーＳＴ及びストップボタンＳＰ１，ＳＰ２，ＳＰ３から夫々出力されるオンオフ信号を主基板７００中の上記マイクロプロセッサへ転送すると共に、マイクロプロセッサから供給されるセグメント表示信号に基づいて、設定表示素子ＣＴに０から６までの数字を表示させる。
【００４４】
電源装置基板５００は、各部へ電源を供給すると共に、主制御基板７００とメダル払出装置、電源モニタ基板、電源スイッチ、及び遊技メダル補助収納庫満杯検知電極との間を中継するものである。このメダル払出装置は、入賞、メダル貯留装置の精算、または投入された遊技メダルの払い戻しにより遊技メダルを排出するためのものである。なお、払い戻しにより払い出された遊技メダルは払出センサにより検知される。また、電源モニタ基板は、自動精算スイッチ、打ち止めスイッチ、各ヒューズを有すると共に、電源装置基板５００と設定キースイッチ、及びリセットボタンとの間を中継しているものである。
【００４５】
この電源装置基板５００には、設定スイッチＢＯ、電源スイッチＢＱ、ホッパ装置ＨＰ，電源装置ＰＷＵが配線接続され、設定スイッチＢＯと電源スイッチＢＱから夫々出力されるオンオフ信号を主基板７００中の上記マイクロプロセッサへ転送する。更に、電源装置基板５００には、電源装置ＰＷＵで発生される各種電源電圧をホッパ装置ＨＰその他各所に配電する配電回路が形成されており、かかる配線回路からスロットマシン１００の動作に必要な電源供給が行われている。
【００４６】
外部集中端子基板８００は、主基板７００中に上記マイクロプロセッサから出力される信号を並列入力することが可能な複数個の入力端子と、該当信号を管理用電子装置としてのホールコンピュータ側へ並列転送することが可能な複数個の出力端子とを備える他、ホールコンピュータ側から供給される信号を入力する入力端子及び上記マイクロプロセッサへ転送する出力端子を備えて構成されている。
【００４７】
次に演出表示装置１０３ｄの制御回路について、図１０に示されているブロック図に基づいて説明する。演出表示装置１０３ｄの制御回路は、移動制御部６１と、画像制御部６２とを有し、それぞれマイクロプロセッサ（ＣＰＵ）等により構成されている。移動制御部６１は、ザブ制御基板３００から供給されるタイミング信号や駆動制御信号等に基づき、駆動装置である各ステッピングモータ３１Ｌ、３１Ｒの駆動タイミングや駆動量を制御し、これにより表示単体４Ｒ、４Ｌの移動距離や移動タイミングが制御される。
【００４８】
画像制御部６２は、ザブ制御基板３００から供給される画像信号に基づき、各表示単体４Ｒ、４Ｌの画像表示装置５Ｒ、５Ｌへ画像信号を供給する。また、画像制御部６２は、移動制御部６１に供給されるタイミング信号と同じ信号の供給を受け、例えば、表示単体４Ｒ、４Ｌを左右に移動させて分割させる動作を開始する。この時、同時に、各画像表示装置５Ｒ、５Ｌに供給する画像を、分割状態での画像に変更してもよい。また、逆に、画像表示装置５Ｒ、５Ｌを合体させる旨の信号が入力された場合に、2つの画像表示装置５Ｒ、５Ｌを合成して形成されるディスプレイ画面を1つの画面とする画像を供給してもよい。
【００４９】
また、本発明では、表示単体４Ｒ、４Ｌを突き合わせて１つの画面を合成した場合と、分離させて、それぞれ表示単体４Ｒ、４Ｌ毎に画像を表示した場合とで、表示する画像を変更しなくてもよく、合成状態と分離状態とで同一の画像を連続して映し出してもよい。合成状態では、突合せ部分に画面枠が現れないため、１つの画面を合成した状態で、表示単体４Ｒ、４Ｌを分離させることにより、画面が２つに割れた印象を遊技者に与えることができ、演出効果が増進される。中央に外枠が存在する状態では、画面を合成しても外枠が中央に残るため、遊技者にはもともと２つの画面が存在するといった印象を与え、これを左右に分割したところで、強い演出効果をえることは難しい。
【００５０】
なお、上記説明した構成は、表示単体４Ｒ、４Ｌが左右に配置され、これらが左右方向に移動することで、画面が左右に分割される構成であるが、この他、２つの表示単体４Ｒ、４Ｌを上下に配置し、画面が上下に分割される構成とすることもできる。また、このような演出用表示装置は、スロットマシンの上部に限らず、下部や、回胴リールの近傍に設けられていてもよい。
【００５１】
以上の本実施形態においては、遊技機がスロットマシンの場合について説明したが、本発明の演出用表示装置は、パチンコやその他の遊技機に用いることもできる。
【図面の簡単な説明】
【００５２】
【図１】本スロットマシンの外部構造を示した全体正面図である。
【図２】本スロットマシンの内部構造を示した全体正面図である。
【図３】演出用表示装置の全体斜視図である。
【図４】演出用表示装置の構成を示す分解斜視図である。
【図５】演出用表示装置の構成を示す部分断面平面図である。
【図６】レンズの全体斜視図である。
【図７】演出用表示装置の構成を示す全体正面図である。
【図８】画像表示装置とレンズ画面に表示された画像を示す正面図である。
【図９】本スロットマシンに設けられている制御システムの構成を示したブロック図である。
【図１０】演出表示装置の制御回路の構成を示すブロック図である。
【符号の説明】
【００５３】
１００  スロットマシン
１０３ｄ  演出用表示装置
４Ｒ、４Ｌ  表示単体
５Ｒ、５Ｌ  画像表示装置
５４Ｒ、５４Ｌ  レンズ
３  移動機構
３１Ｒ、３１Ｌ  ステッピングモータ
【図１】
2007159701.tif 000003
【図２】
2007159701.tif 000004
【図３】
2007159701.tif 000005
【図４】
2007159701.tif 000006
【図５】
2007159701.tif 000007
【図６】
2007159701.tif 000008
【図７】
2007159701.tif 000009
【図８】
2007159701.tif 000010
【図９】
2007159701.tif 000011
【図１０】
2007159701.tif 000012